(57)【要約】【課題】  キャリッジの移動速度を増大させた場合であっても記録装置の周囲温度の影響を低減して、印字品質を確保する。【解決手段】  コントローラは、同一の記録ワイヤにおいてドットパターンを構成する二つのドットが所定の時間内の連続した印字タイミングで印字されるか否かおよび記録ヘッド周辺の温度に対応づけて記録ワイヤの突出タイミングを補正するための突出タイミング補正値を予め記憶し、計測した記録ヘッド周辺の温度および印字データに基づいて記録ワイヤの突出タイミングを補正する。【選択図】      図１２
2005081694.tif 000002
【特許請求の範囲】
【請求項１】
複数の記録ワイヤを備えた記録ヘッドから前記記録ワイヤを突出させるための制御を行う記録ヘッド制御装置において、
同一の前記記録ワイヤにおいてドットパターンを構成する二つのドットが所定の時間内の連続した印字タイミングで印字されるか否かおよび前記記録ヘッド周辺の温度に基づいて前記記録ワイヤの突出タイミングを補正するタイミング補正部を備えたことを特徴とする記録ヘッド制御装置。
【請求項２】
請求項１記載の記録ヘッド制御装置において、
前記タイミング補正部は、前記記録ヘッド周辺の温度を計測する温度計測部と、
同一の前記記録ワイヤにおいてドットパターンを構成する二つのドットが所定の時間内の連続した印字タイミングで印字されるか否かおよび前記記録ヘッド周辺の温度に対応づけて前記突出タイミングを補正するための突出タイミング補正値を予め記憶する補正値記憶部と、
を備えたことを特徴とする記録ヘッド制御装置。
【請求項３】
請求項１記載の記録ヘッド制御装置において、
前記タイミング補正部は、前記記録ヘッド周辺の温度を計測する温度計測部と、
同一の前記記録ワイヤにおいてドットパターンを構成する二つのドットが所定の時間内の連続した印字タイミングで印字されるか否かおよび前記記録ヘッド周辺の温度に対応づけて突出タイミング補正値を予め記憶する補正値記憶部と、を備え、
計測した前記温度に基付いて前記記録ワイヤの突出タイミングを前記突出タイミング補正値により補正し、前記記録ヘッドの主走査方向とは直交する方向に沿って印字されるべき複数のドットについて前記主走査方向における印字位置のずれが所定のずれ範囲内となるように前記複数のドットに対応する複数の前記記録ワイヤの前記突出タイミングを補正することを特徴とする記録ヘッド制御装置。
【請求項４】
請求項１ないし請求項３のいずれかに記載の記録ヘッド制御装置において、
前記記録ヘッドは、丸プラテンに対向させて用いられるものであり、
前記補正値記憶部は、前記丸プラテンの曲率に応じて前記突出タイミング補正値をさらに補正するプラテン曲率補正値を記憶している、
ことを特徴とする記録ヘッド制御装置。
【請求項５】
複数の記録ワイヤを備えた記録ヘッドから前記記録ワイヤを突出させるための制御を行う記録ヘッドの制御方法において、
同一の前記記録ワイヤにおいてドットパターンを構成する二つのドットが所定の時間内の連続した印字タイミングで印字されるか否かおよび前記記録ヘッド周辺の温度に基づいて前記記録ワイヤの突出タイミングを補正するタイミング補正過程と、
前記補正された突出タイミングで印字を行う印字過程と、
を備えたことを特徴とする記録ヘッドの制御方法。
【請求項６】
請求項５記載の記録ヘッドの制御方法において、
前記タイミング補正過程は、前記記録ヘッド周辺の温度を計測する温度計測過程を備え、
同一の前記記録ワイヤにおいてドットパターンを構成する二つのドットが所定の時間内の連続した印字タイミングで印字されるか否かおよび前記記録ヘッド周辺の温度に対応づけて前記突出タイミングを補正すべく予め記憶した突出タイミング補正値に基づいて前記記録ワイヤの突出タイミングを補正する、
ことを特徴とする記録ヘッドの制御方法。
【請求項７】
請求項５記載の記録ヘッドの制御方法において、
前記タイミング補正過程は、前記記録ヘッド周辺の温度を計測する温度計測過程を備え、
同一の前記記録ワイヤにおいてドットパターンを構成する二つのドットが所定の時間内の連続した印字タイミングで印字されるか否かおよび前記記録ヘッド周辺の温度に対応づけて予め記憶した突出タイミング補正値および計測した前記温度に基付いて前記記録ワイヤの突出タイミングを補正し、前記記録ヘッドの主走査方向とは直交する方向に沿って印字されるべき複数のドットについて前記主走査方向における印字位置のずれが所定のずれ範囲内となるように前記複数のドットに対応する複数の前記記録ワイヤの前記突出タイミングを補正することを特徴とする記録ヘッドの制御方法。
【請求項８】
複数の記録ワイヤを備えた記録ヘッドと、
前記記録ヘッド周辺の温度を計測する温度計測部と、
同一の前記記録ワイヤにおいてドットパターンを構成する二つのドットが所定の時間内の連続した印字タイミングで印字されるか否かおよび前記記録ヘッド周辺の温度に基づいて前記記録ワイヤの突出タイミングを補正するタイミング補正部と、
を備えたことを特徴とする記録装置。
【請求項９】
複数の記録ワイヤを備えた記録ヘッドと、
前記記録ヘッド周辺の温度を計測する温度計測部と、
同一の前記記録ワイヤにおいてドットパターンを構成する二つのドットが所定の時間内の連続した印字タイミングで印字されるか否かおよび前記記録ヘッド周辺の温度に対応づけて前記突出タイミングを補正するための突出タイミング補正値を予め記憶する補正値記憶部と、
前記突出タイミング補正値および前記記録ヘッド周辺の温度に基づいて前記記録ワイヤの突出タイミングを補正するタイミング補正部と、
を備えたことを特徴とする記録装置。
【請求項１０】
複数の記録ワイヤを備えた記録ヘッドと、
前記記録ヘッド周辺の温度を計測する温度計測部と、
同一の前記記録ワイヤにおいてドットパターンを構成する二つのドットが所定の時間内の連続した印字タイミングで印字されるか否かおよび前記記録ヘッド周辺の温度に対応づけて予め記憶した突出タイミング補正値および計測した前記温度に基付いて前記記録ワイヤの突出タイミングを補正し、前記記録ヘッドの主走査方向とは直交する方向に沿って印字されるべき複数のドットについて前記主走査方向における印字位置のずれが所定のずれ範囲内となるように前記複数のドットに対応する複数の前記記録ワイヤの前記突出タイミングを補正するタイミング補正部と、
を備えたことを特徴とする記録装置。
【請求項１１】
複数の記録ワイヤを備えた記録ヘッドと、前記記録ヘッド周辺の温度を計測する温度計測部と、を備えた記録装置の制御方法において、
同一の前記記録ワイヤにおいてドットパターンを構成する二つのドットが所定の時間内の連続した印字タイミングで印字されるか否かおよび前記記録ヘッド周辺の温度に基づいて前記記録ワイヤの突出タイミングを補正するタイミング補正過程と、
前記補正された突出タイミングで印字を行う印字過程と、
を備えたことを特徴とする記録装置の制御方法。
【請求項１２】
複数の記録ワイヤを備えた記録ヘッドと、前記記録ヘッド周辺の温度を計測する温度計測部と、を備えた記録装置の制御方法において、
同一の前記記録ワイヤにおいてドットパターンを構成する二つのドットが所定の時間内の連続した印字タイミングで印字されるか否かおよび前記記録ヘッド周辺の温度に対応づけて前記突出タイミングを補正すべく予め記憶させた突出タイミング補正値および前記記録ヘッド周辺の温度に基づいて前記記録ワイヤの突出タイミングを補正するタイミング補正過程と、
前記補正された突出タイミングで印字を行う印字過程と、
を備えたことを特徴とする記録装置の制御方法。
【請求項１３】
複数の記録ワイヤを備えた記録ヘッドと、前記記録ヘッド周辺の温度を計測する温度計測部と、を備えた記録装置の制御方法において、
同一の前記記録ワイヤにおいてドットパターンを構成する二つのドットが所定の時間内の連続した印字タイミングで印字されるか否かおよび前記記録ヘッド周辺の温度に対応づけて予め記憶した突出タイミング補正値および計測した前記温度に基付いて前記記録ワイヤの突出タイミングを補正し、前記記録ヘッドの主走査方向とは直交する方向に沿って印字されるべき複数のドットについて前記主走査方向における印字位置のずれが所定のずれ範囲内となるように前記複数のドットに対応する複数の前記記録ワイヤの前記突出タイミングを補正するタイミング補正過程と、
前記補正された突出タイミングで印字を行う印字過程と、
を備えたことを特徴とする記録装置の制御方法。
【請求項１４】
複数の記録ワイヤを備えた記録ヘッドと、前記記録ヘッド周辺の温度を計測する温度計測部と、を備えた記録装置をコンピュータにより制御するための制御プログラムであって、
同一の前記記録ワイヤにおいてドットパターンを構成する二つのドットが所定の時間内の連続した印字タイミングで印字されるか否かおよび前記記録ヘッド周辺の温度に基づいて前記記録ワイヤの突出タイミングを補正させ、
前記補正された突出タイミングで印字を行わせる、
ことを特徴とする制御プログラム。
【請求項１５】
複数の記録ワイヤを備えた記録ヘッドと、前記記録ヘッド周辺の温度を計測する温度計測部と、を備えた記録装置をコンピュータにより制御するための制御プログラムであって、
同一の前記記録ワイヤにおいてドットパターンを構成する二つのドットが所定の時間内の連続した印字タイミングで印字されるか否かおよび前記記録ヘッド周辺の温度に対応づけて前記突出タイミングを補正すべく予め記憶させた突出タイミング補正値および前記記録ヘッド周辺の温度に基づいて前記記録ワイヤの突出タイミングを補正させ、
前記補正された突出タイミングで印字を行わせる、
ことを特徴とする制御プログラム。
【請求項１６】
複数の記録ワイヤを備えた記録ヘッドと、前記記録ヘッド周辺の温度を計測する温度計測部と、を備えた記録装置をコンピュータにより制御するための制御プログラムであって、
同一の前記記録ワイヤにおいてドットパターンを構成する二つのドットが所定の時間内の連続した印字タイミングで印字されるか否かおよび前記記録ヘッド周辺の温度に対応づけて予め記憶した突出タイミング補正値および計測した前記温度に基付いて前記記録ワイヤの突出タイミングを補正し、前記記録ヘッドの主走査方向とは直交する方向に沿って印字されるべき複数のドットについて前記主走査方向における印字位置のずれが所定のずれ範囲内となるように前記複数のドットに対応する複数の前記記録ワイヤの前記突出タイミングを補正させ、
前記補正された突出タイミングで印字を行わせる、
ことを特徴とする制御プログラム。
【請求項１７】
請求項１４ないし請求項１６のいずれかに記載の制御プログラムを記録したことを特徴とするコンピュータ読取可能な記録媒体。
【発明の詳細な説明】
【技術分野】
【０００１】
本発明は、記録ヘッド制御装置、記録ヘッドの制御方法、記録装置および記録装置の制御方法、制御プログラムおよび記録媒体に係り、特にドットインパクトプリンタの記録ヘッドを制御する記録ヘッド制御装置、記録ヘッドの制御方法、記録装置および記録装置の制御方法、制御プログラムおよび記録媒体に関する。
【背景技術】
【０００２】
従来より連続紙や複写式の伝票の印刷に使用するプリンタとして、ドットインパクトプリンタが知られている。ドットインパクトプリンタは、記録ヘッドから記録ワイヤを突出させ、記録ワイヤによりインクリボンを記録媒体（記録用紙）に打ち付けることによって印字（画像形成）を行うプリンタである（例えば、特許文献１参照）。
【０００３】
より具体的には、この種のドットインパクトプリンタは、記録ヘッドを記録媒体の横方向（主走査方向）に移動させながら、主走査方向とは直交する方向に一列あるいは複数列配置された複数の記録ワイヤを選択的に突出させてインクリボンを打ちつけ、記録されたドットの集合により、文字を含む画像を記録するものである。
【特許文献１】特開２００１−２７７５９６号公報
【発明の開示】
【発明が解決しようとする課題】
【０００４】
上述したように、ドットインパクトプリンタは、記録ヘッドを移動しながら印刷を行うため、記録ヘッドを移動させるキャリッジの移動速度（以下、キャリッジ速度という。）が早いほど高速印刷が可能となる。
【０００５】
しかしながら、キャリッジ速度が早いほど、ワイヤ長、ワイヤ配置などの機械的構造あるいは印字対象のドットパターンなどに起因して記録ワイヤが記録ヘッドから突出されてインクリボンを打ち付けるまでの時間がワイヤ毎に異なると、あるドットの記録位置を基準とした場合に、他のドットの記録位置の主走査方向へのずれ（アライメントずれ）が大きくなってしまうという問題点があった。
【０００６】
より具体的には、各記録ワイヤが記録ヘッドから突出され、インクリボンを打ち付け、印字がなされるまでの時間、すなわち、記録ワイヤの突出タイミングおよびインパクトタイミングで規定される時間（以下、フライトタイムという。）をＦＴ（単位μｓｅｃ）とし、キャリッジの主走査方向への移動速度（キャリッジ移動速度）をＳCR（単位mm／msec）とすると、アラインメントずれ量ＡＬは、次式で表される。
【０００７】
ＡＬ＝ＦＴ×ＳCR
従って、フライトタイムＦＴを何ら補正を行わないとした場合、キャリッジ移動速度ＳCRを増大させるに従って、単純にアライメントずれ量ＡＬも増大することとなり、印字品質が著しく低下して、場合によっては文字の認識ですら困難になってしまうという問題点があった。
【０００８】
また、この傾向は、記録装置、より詳細には、記録ヘッドが配置された周囲温度によって大きく現れる場合があった。
【０００９】
そこで、本発明の目的は、キャリッジの移動速度を増大させた場合であっても記録装置の周囲温度の影響を低減して、印字品質を確保することが可能な記録ヘッド制御装置、記録ヘッドの制御方法、記録装置および記録装置の制御方法、制御プログラムおよび記録媒体を提供することにある。
【課題を解決するための手段】
【００１０】
上述課題を解決するため、複数の記録ワイヤを備えた記録ヘッドから前記記録ワイヤを突出させるための制御を行う記録ヘッド制御装置は、同一の前記記録ワイヤにおいてドットパターンを構成する二つのドットが所定の時間内の連続した印字タイミングで印字されるか否かおよび前記記録ヘッド周辺の温度に基づいて前記記録ワイヤの突出タイミングを補正するタイミング補正部を備えたことを特徴としている。
【００１１】
上記構成によれば、タイミング補正部は、同一の前記記録ワイヤにおいてドットパターンを構成する二つのドットが所定の時間内の連続した印字タイミングで印字されるか否かおよび前記記録ヘッド周辺の温度に基づいて前記記録ワイヤの突出タイミングを補正する。
【００１２】
この場合において、前記タイミング補正部は、前記記録ヘッド周辺の温度を計測する温度計測部と、同一の前記記録ワイヤにおいてドットパターンを構成する二つのドットが所定の時間内の連続した印字タイミングで印字されるか否かおよび前記記録ヘッド周辺の温度に対応づけて前記突出タイミングを補正するための突出タイミング補正値を予め記憶する補正値記憶部と、を備えるようにしてもよい。
【００１３】
また、前記タイミング補正部は、前記記録ヘッド周辺の温度を計測する温度計測部と、同一の前記記録ワイヤにおいてドットパターンを構成する二つのドットが所定の時間内の連続した印字タイミングで印字されるか否かおよび前記記録ヘッド周辺の温度に対応づけて突出タイミング補正値を予め記憶する補正値記憶部と、を備え、計測した前記温度に基付いて前記記録ワイヤの突出タイミングを前記突出タイミング補正値により補正し、前記記録ヘッドの主走査方向とは直交する方向に沿って印字されるべき複数のドットについて前記主走査方向における印字位置のずれが所定のずれ範囲内となるように前記複数のドットに対応する複数の前記記録ワイヤの前記突出タイミングを補正するようにしてもよい。
【００１４】
さらに、前記記録ヘッドは、丸プラテンに対向させて用いられるものであり、前記補正値記憶部は、前記丸プラテンの曲率に応じて前記突出タイミング補正値をさらに補正するプラテン曲率補正値を記憶しているようにしてもよい。
【００１５】
また、複数の記録ワイヤを備えた記録ヘッドから前記記録ワイヤを突出させるための制御を行う記録ヘッドの制御方法は、同一の前記記録ワイヤにおいてドットパターンを構成する二つのドットが所定の時間内の連続した印字タイミングで印字されるか否かおよび前記記録ヘッド周辺の温度に基づいて前記記録ワイヤの突出タイミングを補正するタイミング補正過程と、前記補正された突出タイミングで印字を行う印字過程と、を備えたことを特徴としている。
【００１６】
この場合において、前記タイミング補正過程は、前記記録ヘッド周辺の温度を計測する温度計測過程を備え、同一の前記記録ワイヤにおいてドットパターンを構成する二つのドットが所定の時間内の連続した印字タイミングで印字されるか否かおよび前記記録ヘッド周辺の温度に対応づけて前記突出タイミングを補正すべく予め記憶した突出タイミング補正値に基づいて前記記録ワイヤの突出タイミングを補正するようにしてもよい。
【００１７】
また、前記タイミング補正過程は、前記記録ヘッド周辺の温度を計測する温度計測過程を備え、同一の前記記録ワイヤにおいてドットパターンを構成する二つのドットが所定の時間内の連続した印字タイミングで印字されるか否かおよび前記記録ヘッド周辺の温度に対応づけて予め記憶した突出タイミング補正値および計測した前記温度に基付いて前記記録ワイヤの突出タイミングを補正し、前記記録ヘッドの主走査方向とは直交する方向に沿って印字されるべき複数のドットについて前記主走査方向における印字位置のずれが所定のずれ範囲内となるように前記複数のドットに対応する複数の前記記録ワイヤの前記突出タイミングを補正するようにしてもよい。
【００１８】
また、記録装置は、複数の記録ワイヤを備えた記録ヘッドと、前記記録ヘッド周辺の温度を計測する温度計測部と、同一の前記記録ワイヤにおいてドットパターンを構成する二つのドットが所定の時間内の連続した印字タイミングで印字されるか否かおよび前記記録ヘッド周辺の温度に基づいて前記記録ワイヤの突出タイミングを補正するタイミング補正部と、を備えたことを特徴としている。
上記構成によれば、温度計測部は、記録ヘッド周辺の温度を計測する。
【００１９】
これにより、タイミング補正部は、同一の前記記録ワイヤにおいてドットパターンを構成する二つのドットが所定の時間内の連続した印字タイミングで印字されるか否かおよび記録ヘッド周辺の温度に基づいて前記記録ワイヤの突出タイミングを補正する。
【００２０】
また、記録装置は、複数の記録ワイヤを備えた記録ヘッドと、前記記録ヘッド周辺の温度を計測する温度計測部と、同一の前記記録ワイヤにおいてドットパターンを構成する二つのドットが所定の時間内の連続した印字タイミングで印字されるか否かおよび前記記録ヘッド周辺の温度に対応づけて前記突出タイミングを補正するための突出タイミング補正値を予め記憶する補正値記憶部と、前記突出タイミング補正値および前記記録ヘッド周辺の温度に基づいて前記記録ワイヤの突出タイミングを補正するタイミング補正部と、を備えたことを特徴としている。
【００２１】
上記構成によれば、補正値記憶部は、同一の前記記録ワイヤにおいてドットパターンを構成する二つのドットが所定の時間内の連続した印字タイミングで印字されるか否かおよび記録ヘッド周辺の温度に対応づけて突出タイミングを補正するための突出タイミング補正値を予め記憶する。
温度計測部は、記録ヘッド周辺の温度を計測する。
【００２２】
これらの結果、タイミング補正部は、突出タイミング補正値および記録ヘッド周辺の温度に基づいて記録ワイヤの突出タイミングを補正する。
【００２３】
また、記録装置は、複数の記録ワイヤを備えた記録ヘッドと、前記記録ヘッド周辺の温度を計測する温度計測部と、同一の前記記録ワイヤにおいてドットパターンを構成する二つのドットが所定の時間内の連続した印字タイミングで印字されるか否かおよび前記記録ヘッド周辺の温度に対応づけて予め記憶した突出タイミング補正値および計測した前記温度に基づいて前記記録ワイヤの突出タイミングを補正し、前記記録ヘッドの主走査方向とは直交する方向に沿って印字されるべき複数のドットについて前記主走査方向における印字位置のずれが所定のずれ範囲内となるように前記複数のドットに対応する複数の前記記録ワイヤの前記突出タイミングを補正するタイミング補正部と、を備えたことを特徴としている。
【００２４】
上記構成によれば、温度計測部は、記録ヘッド周辺の温度を計測する。
これによりタイミング補正部は、同一の前記記録ワイヤにおいてドットパターンを構成する二つのドットが所定の時間内の連続した印字タイミングで印字されるか否かおよび記録ヘッド周辺の温度に対応づけて予め記憶した突出タイミング補正値および計測した温度に基づいて前記記録ワイヤの突出タイミングを補正し、記録ヘッドの主走査方向とは直交する方向に沿って印字されるべき複数のドットについて主走査方向における印字位置のずれが所定のずれ範囲内となるように複数のドットに対応する複数の記録ワイヤの突出タイミングを補正する。
【００２５】
また、複数の記録ワイヤを備えた記録ヘッドと、前記記録ヘッド周辺の温度を計測する温度計測部と、を備えた記録装置の制御方法は、同一の前記記録ワイヤにおいてドットパターンを構成する二つのドットが所定の時間内の連続した印字タイミングで印字されるか否かおよび前記記録ヘッド周辺の温度に基づいて前記記録ワイヤの突出タイミングを補正するタイミング補正過程と、前記補正された突出タイミングで印字を行う印字過程と、を備えたことを特徴としている。
【００２６】
また、複数の記録ワイヤを備えた記録ヘッドと、前記記録ヘッド周辺の温度を計測する温度計測部と、を備えた記録装置の制御方法は、同一の前記記録ワイヤにおいてドットパターンを構成する二つのドットが所定の時間内の連続した印字タイミングで印字されるか否かおよび前記記録ヘッド周辺の温度に対応づけて前記突出タイミングを補正すべく予め記憶させた突出タイミング補正値および前記記録ヘッド周辺の温度に基づいて前記記録ワイヤの突出タイミングを補正するタイミング補正過程と、前記補正された突出タイミングで印字を行う印字過程と、を備えたことを特徴としている。
【００２７】
また、複数の記録ワイヤを備えた記録ヘッドと、前記記録ヘッド周辺の温度を計測する温度計測部と、を備えた記録装置の制御方法は、同一の前記記録ワイヤにおいてドットパターンを構成する二つのドットが所定の時間内の連続した印字タイミングで印字されるか否かおよび前記記録ヘッド周辺の温度に対応づけて予め記憶した突出タイミング補正値および計測した前記温度に基付いて前記記録ワイヤの突出タイミングを補正し、前記記録ヘッドの主走査方向とは直交する方向に沿って印字されるべき複数のドットについて前記主走査方向における印字位置のずれが所定のずれ範囲内となるように前記複数のドットに対応する複数の前記記録ワイヤの前記突出タイミングを補正するタイミング補正過程と、前記補正された突出タイミングで印字を行う印字過程と、を備えたことを特徴としている。
【００２８】
また、複数の記録ワイヤを備えた記録ヘッドと、前記記録ヘッド周辺の温度を計測する温度計測部と、を備えた記録装置をコンピュータにより制御するための制御プログラムは、同一の前記記録ワイヤにおいてドットパターンを構成する二つのドットが所定の時間内の連続した印字タイミングで印字されるか否かおよび前記記録ヘッド周辺の温度に基づいて前記記録ワイヤの突出タイミングを補正させ、前記補正された突出タイミングで印字を行わせる、ことを特徴としている。
【００２９】
また、複数の記録ワイヤを備えた記録ヘッドと、前記記録ヘッド周辺の温度を計測する温度計測部と、を備えた記録装置をコンピュータにより制御するための制御プログラムは、同一の前記記録ワイヤにおいてドットパターンを構成する二つのドットが所定の時間内の連続した印字タイミングで印字されるか否かおよび前記記録ヘッド周辺の温度に対応づけて前記突出タイミングを補正すべく予め記憶させた突出タイミング補正値および前記記録ヘッド周辺の温度に基づいて前記記録ワイヤの突出タイミングを補正させ、前記補正された突出タイミングで印字を行わせる、ことを特徴としている。
【００３０】
また、複数の記録ワイヤを備えた記録ヘッドと、前記記録ヘッド周辺の温度を計測する温度計測部と、を備えた記録装置をコンピュータにより制御するための制御プログラムは、同一の前記記録ワイヤにおいてドットパターンを構成する二つのドットが所定の時間内の連続した印字タイミングで印字されるか否かおよび前記記録ヘッド周辺の温度に対応づけて予め記憶した突出タイミング補正値および計測した前記温度に基付いて前記記録ワイヤの突出タイミングを補正し、前記記録ヘッドの主走査方向とは直交する方向に沿って印字されるべき複数のドットについて前記主走査方向における印字位置のずれが所定のずれ範囲内となるように前記複数のドットに対応する複数の前記記録ワイヤの前記突出タイミングを補正させ、前記補正された突出タイミングで印字を行わせる、ことを特徴としている。
【００３１】
また、上記いずれかの制御プログラムをコンピュータ読取可能な記録媒体に記録するようにしてもよい。
【発明の効果】
【００３２】
本発明によれば、キャリッジの移動速度を増大させた場合であっても、周囲温度の影響を考慮してアライメントずれを低減して印字品質を確保することが可能となる。
【発明を実施するための最良の形態】
【００３３】
以下、図面を参照して本発明の実施の形態について説明する。
【００３４】
［１］実施形態
［１．１］  実施形態の構成
本発明の記録装置としてのドットインパクトプリンタ（以下、プリンタという。）１０は、記録ヘッド２０を備えている。
図１は、記録ヘッド２０とその周辺構成を示す斜視図である。
【００３５】
記録ヘッド２０は、キャリッジ２１に支持されており、キャリッジ２１が主走査方向に移動することによって、記録位置を記録用紙Ｐの幅方向に移動する。詳述すると、キャリッジ２１は、水平方向に配置されたキャリッジガイド２２と補助軸２３とによって主走査方向に案内されると共に、駆動プーリ２４と、従動プーリ２５との間にかけ渡されたタイミングベルト２６に固定される。そして、駆動プーリ２４をキャリッジ駆動モータ２７が回転させることによって、キャリッジ２１を主走査方向に移動させる。
【００３６】
プラテン３０は、記録用紙Ｐの紙送りを行うと共に、記録ヘッド２０から打ち出された記録ワイヤ５０（図２参照）を受け止めるローラである。なお、記録ヘッド２０の近傍には、インクリボンカセット（不図示）が配置され、インクリボン３１（図２参照）が記録ヘッド２０とプラテン３０の間に引き回されるようになっている。
【００３７】
なお、図示はしていないが、プリンタ１０は、従来のドットインパクトプリンタと同様に、紙送りを行う他の機構として、プッシュトラクタユニット、シート供給ガイドおよび排出ユニットなどを備えている。ここで、プッシュトラクタユニットは連続紙を給紙するためのユニットである。また、シート供給ガイドは単票紙を案内するためのガイド部品である。
【００３８】
次に、記録ヘッド２０について説明する。図２は記録ヘッド２０の断面図である。記録ヘッド２０は、ケース４１内に、コイル４２が巻き付けられたコア４３と、ワイヤレバー４４とが対になって環状に複数配置されている。
【００３９】
ワイヤレバー４４は、その一端がピン４５に固定され、他端に記録ワイヤ５０が固定される。また、ワイヤレバー４４は、バネ４６によってコア４３と離れる方向（ピン４５を中心として図中時計回り方向）に付勢される。ここで、コイル４２に電流が流れていない状態では、記録ワイヤ５０はノーズ４７に収容されるように構成されている。一方、コイル４２に電流が流されると、コア４３が電磁石となり、ワイヤレバー４４がコア４３に吸引されるように構成されている。この結果、記録ワイヤ５０の先端がノーズ４７の外に飛び出し、インクリボン３１を記録用紙Ｐに打ち付けてインクを転写する。
【００４０】
このノーズ４７の内部には、各記録ワイヤ５０のガイド孔が形成されたガイド４８が複数配置されており、各記録ワイヤ５０を記録用紙Ｐに向けてほぼ垂直に案内する。なお、これら複数の記録ワイヤ５０は副走査方向に沿って一列あるいは複数列に配置されている。
また、この記録ヘッド２０のケース４１には、放熱用のフィン４９が設けられ、コイル４２から発せられた熱を速やかに放熱するようになっている。
【００４１】
さらに上述したようにワイヤレバー４４はバネ４６によってコア４３と離れる方向に付勢されているので、コイル４２に電流の供給が停止されると、記録ワイヤ５０はノーズ４７に収容されることとなる。しかしながら、この場合には、ワイヤレバー４４は直ちに所定の位置に納まる訳ではなく、振動状態となる。そこで、ワイヤレバー４４が振動してレバーホルダー５２に衝突して破損するのを防止するとともに、振動を吸収して短時間でワイヤレバー４４を所定位置に収めるべく、ワイヤレバー４４のコア４３と離れる方向の近傍には、緩衝材であるスペーサ（弾性部材。例えば、フッ素ゴム）５１が配置されている。
【００４２】
この場合において、実際の記録ヘッド２０は、記録ワイヤの数が多くなった場合には、上述した記録ヘッド２０と同様の構造を有するＦ段（前段）記録ヘッドユニットおよびＲ段（後段）記録ヘッドユニットが２段結合されて構成される。例えば、Ｆ段記録ヘッドユニットおよびＲ段記録ヘッドユニットのそれぞれに記録ワイヤ５０を副走査方向に一列１２本備える構造とする。そして、Ｆ段記録ヘッドユニットおよびＲ段記録ヘッドユニットを結合して、全体として記録ワイヤ５０を２４本備えた記録ヘッドとして機能させることとなる。
【００４３】
次に、制御ユニット６０について説明する。
図３は、制御ユニット６０の構成を示すブロック図である。
制御ユニット６０は、大別すると、コントローラ７０、インターフェース７５、モータ制御部８０、記録ヘッド駆動部８５および温度センサ８７を備えている。
【００４４】
インターフェース７５は、コントローラ７０の制御の下、通信ケーブル（不図示）を経由して接続されたパーソナルコンピュータ（ＰＣ）との間で印字データ（記録データ）などの各種データを送受信する。
【００４５】
モータ駆動部８０は、コントローラ７０の制御の下、キャリッジ駆動モータ２７（図１参照）や、紙送りなどを行うための各種モータを駆動する。ここで、紙送りを行うためのモータとは、具体的には、プラテン３０を駆動するモータ、プッシュトラクタユニットおよび排出ユニットに内蔵されるモータなどである。
【００４６】
記録ヘッド駆動部８５は、コントローラ７０の制御の下、記録ヘッド２０を駆動することにより、記録ワイヤ５０を選択的に打ち出す。
温度センサ８７は、記録装置周辺の温度、特に記録ヘッド２０周辺の温度を計測し、温度計測信号をコントローラ７０に出力する。
【００４７】
コントローラ７０は、ＣＰＵ（Central Processing Unit）７１、ＲＯＭ（Read Only Memory）７２およびＲＡＭ（Random Access Memory）７３などから構成されている。
【００４８】
ＣＰＵ７１は、ＲＯＭ７２に記憶された制御プログラムに従ってプリンタ１０の動作を制御する。このＲＯＭ７２には、制御プログラムの他、各ワイヤの突出タイミングを補正するための補正値を格納した補正テーブル、フォントデータや文字テーブル（画像テーブル）などが記憶されている。なお、ＲＡＭ７３は、ＣＰＵ７１が読み出したプログラムや外部のパーソナルコンピュータ等から受信した印字データなどが一時的に格納される。
【００４９】
ここで、図４を参照して補正テーブルの概要構成を説明する。
図４は補正テーブルの概要構成図である。
補正テーブル９０は、プラテン曲率補正テーブル９１、Ｆ段／Ｒ段補正テーブル９２、単発ドット／連続ドット補正テーブル９３を備えている。
【００５０】
プラテン曲率補正テーブル９１は、プラテン３０としてドラム状の丸プラテンを用いている場合に、その曲率の違いから、プラテンの接線方向に沿って配置されている記録ワイヤ５０の構造上、記録ヘッド２０からプラテン３０までの記録ワイヤ５０の到達距離に差があるのを補正するための補正テーブルである。具体的には、９ピンの記録ヘッドの場合、１番ピンから９番ピンのうち中央に配置された５番ピンの記録ワイヤ５０の記録ヘッド２０からプラテンまでの距離が最も短く、両側の１番ピンおよび９番ピンに向かって徐々にプラテン３０までの距離が長くなる。
【００５１】
この結果、例えば、図５に示すように、１．５５ｋｃｐｓ（ｃｐｓ：Character Per Second）の印字速度におけるあるプラテン３０のキャリッジ走査方向のずれは、５番ピンを基準（ずれ量０ｍｍ）とした場合、４番ピンおよび６番ピンのずれ量は、０．００３４ｍｍ、３番ピンおよび７番ピンのずれ量は、０．０１６ｍｍ、２番ピンおよび８番ピンのずれ量は０．０３６ｍｍ、１番ピンおよび９番ピンのずれ量は、０．０６３ｍｍとなっていた。従って、図６に示すように、本来、平行な直線状となるべき、アルファベットのＨの文字の縦線部分が、弧状にゆがんでしまう可能性がある。
【００５２】
そこで、プラテン曲率補正テーブル９１は、記録ワイヤ５０の突出速度およびプラテン３０までの距離に基づいて、たとえば、５番ピンに対応する記録ワイヤ５０の突出タイミングを基準とした場合には、他のピンに対応する記録ワイヤ５０の突出タイミングをより早いタイミングとする。そして、すべての記録ワイヤ５０のインパクトタイミングが同一（実際的には、所定の誤差範囲内）となるようにする。
【００５３】
Ｆ段／Ｒ段補正テーブル９２は、上述したように記録ヘッド２０が多ピン化のためＦ段記録ヘッドユニットおよびＲ段記録ヘッドユニットが２段結合されている場合に、記録ワイヤ５０の長さがＦ段記録ヘッドユニットとＲ段記録ヘッドユニットとでは異なる、すなわち、記録ワイヤ５０の慣性質量などに起因して突出タイミングを同時にしたとしても、実際のインパクトタイミングが異なってしまうのを補正するための補正テーブルである。具体的には、Ｆ段記録ヘッドユニットの記録ワイヤ５０の記録ワイヤ５０の長さが長くなるＲ段記録ヘッドユニット側の記録ワイヤ５０の突出タイミングをより早いタイミングとする。そして、Ｆ段記録ヘッドユニットおよびＲ段記録ヘッドユニットのすべての記録ワイヤ５０のインパクトタイミングが同一（実際的には、所定の誤差範囲内）となるようにする。
【００５４】
単発ドット／連続ドット補正テーブル９３は、単発ドット記録時と連続ドット記録時で同一の記録ワイヤで異なるフライトタイムを補正するための補正テーブルであり、単発ドット記録時の記録ワイヤ５０の突出タイミングを基準とする連続ドット記録時の記録ワイヤ５０の突出タイミングを補正するための連続ドット記録補正データＣMを格納している。
【００５５】
この単発ドット／連続ドット補正テーブル９３は、同時に周囲温度に基づいてフライトタイムを補正するためのテーブルであり実際には、連続ドット記録補正データＣMは周囲温度Ｔ１〜Ｔｎに対応する連続ドット記録補正データＣMT1〜ＣMTnにより構成されている。
【００５６】
ここで、まず、単発ドット記録時と連続ドット記録時で同一の記録ワイヤで異なるフライトタイムを補正する原理について説明する。
【００５７】
前回の印字に起因する記録ワイヤ５０が保持している運動エネルギー量（リバウンド量）が所定量未満となり機械的に安定な状態となってから今回の印字を開始するような単発ドット記録を行う場合に比較して、前回の印字に起因する記録ワイヤ５０の運動エネルギー量が所定量以上であるような状態で今回の印字を開始する連続ドット記録時の方がフライトタイムは小さくなる。従って、連続ドット記録時に記録ワイヤの突出タイミングを遅らせることによりインパクトタイミング同一となるように補正を行うのである。
【００５８】
次に単発ドット記録時と連続ドット記録時で記録装置周囲の温度が異なることによるフライトタイムを補正する原理について説明する。
【００５９】
上述したように、記録ワイヤ５０のインパクト後の振動を吸収して、短時間でワイヤレバー４４を所定位置に収めるべく配置されたスペーサ５１は、その緩衝能力が温度により左右される。これは周囲温度（特に記録ヘッド２０の周囲温度）によりその弾性が変化するためである。
【００６０】
図７は、周囲温度に起因する単発ドット記録時と連続ドット記録時とのフライトタイム差を実測したグラフである。縦軸はフライトタイム差（単位μｓｅｃ）、横軸は温度（単位℃）である。
【００６１】
図７に示すように、室温（２５℃）を基準として特性が設定されたスペーサ５１の弾性は、温度が室温より下がっても、あるいは、上がっても変化し、単発ドット記録時と連続ドット記録時とのフライトタイム差が室温時と比較してより大きくなることがわかる。この傾向は、記録ワイヤ５０の駆動周波数（＝１．５５ｋｃｐｓ、１．７４ｋｃｐｓ、１．９８ｋｃｐｓ）が変化しても変わらないことがわかる。
従って、連続ドット記録時に周囲温度に基づいて記録ワイヤ５０の突出タイミングを補正して遅らせることによりインパクトタイミング同一となるように補正を行うのである。
【００６２】
図８は単発ドット記録時および連続ドット記録時の記録ワイヤの先端位置および記録ワイヤ駆動電流の関係説明図である。
【００６３】
時刻ｔ０において、記録ワイヤ５０が停止状態にあった場合に、時刻ｔ１で記録ワイヤ駆動電流を供給した場合には、時刻ｔ２が記録ワイヤ５０のインパクトタイミングとなり、このときのフライトタイムＦＴ１は、単発ドット記録時のフライトタイムとなる。すなわち、
ＦＴ１＝ｔ２−ｔ１
となる。
【００６４】
そして、連続ドット記録時において前回の印字に起因する記録ワイヤ５０の運動エネルギー量が所定量以上である時刻ｔ３で再び記録ワイヤ駆動電流を供給した場合には、時刻ｔ４が記録ワイヤ５０のインパクトタイミングとなる。このときのフライトタイムＦＴ２は、連続ドット記録時（連続第１回目）のフライトタイムとなる。すなわち、
ＦＴ２＝ｔ４−ｔ３
となる。
【００６５】
さらに時刻ｔ５で再び記録ワイヤ駆動電流を供給した場合には、時刻ｔ６が記録ワイヤ５０のインパクトタイミングとなり、このときのフライトタイムＦＴ３は、連続ドット記録時（連続第２回目）のフライトタイムとなる。すなわち、
ＦＴ３＝ｔ６−ｔ５
となる。
【００６６】
すなわち、図９に示すように、同一の時間間隔（ｔ３−ｔ２＝ｔ５−ｔ３）で駆動パルスＤｐの遷移タイミングを設定した場合のフライトタイムは、記録ワイヤ駆動電流ＤIからもわかるように、時刻ｔ１に駆動パルスＤｐを遷移させた場合と比較して、時刻ｔ３および時刻ｔ５に駆動パルスＤｐを遷移させた場合の方が、短くなり、実際の記録ワイヤ５０のインパクトタイミングに差が生じることとなる。
【００６７】
従って、時刻ｔ１、時刻ｔ３および時刻ｔ５に駆動パルスＤｐを遷移させた場合に形成されるドットは、シート上で距離ｌ1 と距離ｌ2（ｌ1 ＜ｌ2）となりアライメントずれが発生することがわかる。
【００６８】
上述の例の場合には、
ＦＴ１＞ＦＴ２＞ＦＴ３
となっているが、３回以上の連続ドット記録を行った場合には、そのフライトタイムは所定時間範囲内に収束する。従って、実際的には、想定される連続ドット記録回数のすべてについて補正データを用意しなくても、連続ドット記録時の補正データを温度毎に２〜３種類用意しておけば必要十分である。
【００６９】
そして、単発ドット記録時のデータおよび温度毎に２〜３種類の連続ドット記録時の補正データにより、記録ワイヤ５０のフライトタイム（実質的には、インパクトタイミング）を補正して、実質的なフライトタイムが周囲温度の影響を受けることなく単発ドット記録時と連続ドット記録時で略同一となる、すなわち、記録ワイヤ５０のインパクトタイミングが略同一となるように、駆動パルスを出力するようにする。
【００７０】
より具体的には、図１０に示すように、単発ドット記録時（時刻ｔ１）には、駆動パルスＤｐの遷移タイミングの補正を行わず、連続ドット記録時（補正なしの場合の時刻ｔ３および時刻ｔ５に相当）においては、駆動パルスＤｐの遷移タイミングの補正を行う。
【００７１】
すなわち、時刻ｔ３および時刻ｔ５に対し、連続ドット記録時の補正データに基づいて、単発ドット記録時のフライトタイムＦＴ１と連続ドット記録時のフライトタイムＦＴ２（＝フライトタイムＦＴ３）との差に相当する時間をずらした時刻である時刻ｔ３’、ｔ５’に駆動パルスＤｐの遷移タイミングを遅らせる。
【００７２】
この結果、記録ワイヤ駆動電流ＤIからもわかるように、実際の記録ワイヤ５０のインパクトタイミングの差は、等しくなり、シート上で距離ｌ0づつ均等に離間してドットが形成されることとなる。
【００７３】
この単発ドット記録時と連続ドット記録時とのフライトタイムの差は、上述したように記録ワイヤ５０の駆動周波数にも依存しており、記録ワイヤ５０の駆動周波数が高いほどフライトタイムの差も大きくなる。これは、駆動周波数が高いほど、記録ワイヤ５０の残存エネルギー量も大きくなり、いわゆるリバウンド特性により今回の突出方向への突出量および突出速度がより大きくなり、ひいては、フライトタイムの差も大きくなるのである。すなわち、駆動周波数が高いほど、リバウンドにより記録ワイヤ５０がより短いフライトタイムで媒体に到達することとなる。従って、駆動周波数が高い場合には、より補正量が大きくなる（遅延時間を大きくなる）ように補正データを設定する必要がある。
【００７４】
そこで、単発ドット／連続ドット補正テーブル９３は、当該プリンタ１０において記録ワイヤ５０の駆動周波数が複数存在するような場合には、図１１に示すように、駆動周波数毎に補正データを格納すればよい。
【００７５】
図１１は、駆動周波数毎に連続ドット記録補正データを格納した単発ドット／連続ドット補正テーブルの一例の説明図である。
【００７６】
具体的には、記録ワイヤ５０の駆動周波数が、駆動周波数ｆ１＝１．５５ｋｃｐｓ、駆動周波数ｆ２＝１．７４ｋｃｐｓ、駆動周波数ｆ３＝１．９８ｋｃｐｓの３種類の場合には、各駆動周波数毎に連続ドット記録補正データＣMfy（ｙ＝1〜3）は、それぞれ周囲温度Ｔ１〜Ｔｎに対応する連続ドット記録補正データＣMT1fy〜ＣMTnfyにより構成されている。
【００７７】
［１．２］実施形態の動作
次に、本実施形態の動作を説明する。
図１２は、実施形態のプリンタの概要処理フローチャートである。
【００７８】
プリンタ１０においては、電源が投入されると、ＣＰＵ７１がＲＯＭ７２に記録された制御プログラムを実行することにより、外部装置（たとえば、外部のパーソナルコンピュータなど）から印字データが入力される（ステップＳ１）。
【００７９】
これによりＣＰＵ７１は、印字データに基づいて印字処理（ステップＳ１０）を実行することとなるが、本実施形態では、この印字処理に先立って、各記録ワイヤ５０毎のフライトタイムを補正するフライトタイム補正処理（ステップＳ２〜Ｓ９）こととなる。
【００８０】
フライトタイム補正処理においては、コントローラ７０は、プラテン曲率補正値を設定すべく、入力された印字データのドットパターンに基づいて実際にドット記録を行う記録ワイヤ５０の番号、たとえば、９ピンの記録ヘッドの場合、１番ピンから９番ピンのいずれであるかを判別する（ステップＳ２）。
【００８１】
次に判別した記録ワイヤ５０の番号に基づいてプラテン曲率補正テーブル９１を参照し、対応するプラテン曲率補正データＣPを読み出す（ステップＳ３）。
【００８２】
プラテン曲率補正データＣPの読み出しと並行してコントローラ７０は、当該プリンタ１０の記録ヘッド２０がＦ段記録ヘッドユニットおよびＲ段記録ヘッドユニットが２段結合されているタイプであるか否かを判別する（ステップＳ４）。
【００８３】
ステップＳ４の判別において、記録ヘッド２０がＦ段記録ヘッドユニットおよびＲ段記録ヘッドユニットが２段結合されているタイプである場合には（ステップＳ４；Ｙｅｓ）、コントローラ７０は、入力された印字データのドットパターンに基づいて実際にドット記録を行う記録ワイヤ５０がＦ段記録ヘッドユニットあるいはＲ段記録ヘッドユニットのいずれに属するのかを判別する（ステップＳ５）。
【００８４】
次にコントローラ７０は、ステップＳ５の判別に基づいて、Ｆ段／Ｒ段補正テーブル９２からＦ段補正データＣFあるいはＲ段補正データＣRを読み出す（ステップＳ６）。
【００８５】
プラテン曲率補正データＣPの読み出し並びにＦ段補正データＣFあるいはＲ段補正データＣRの読み出しと並行してコントローラ７０は、入力された印字データのドットパターンに基づいてドット記録が単発ドット記録あるいは連続ドット記録のいずれであるかを判別する（ステップＳ７）。
【００８６】
次にコントローラ７０は、ステップＳ７の判別、周囲温度および記録ワイヤ５０の駆動周波数に基づいて単発ドット記録データＣSおよび必要に応じて連続ドット記録補正データＣMT1〜ＣMTn（あるいはＣMT1fy〜ＣMTnfy）を読み出す（ステップＳ８）。
【００８７】
図１３は単発／連続補正データ読み出し処理の処理フローチャートである。
コントローラ７０は、温度センサ８７が出力した温度計測信号に基づいて記録ヘッド周辺の温度Ｔxを測定する（ステップＳ８１）。
【００８８】
次にコントローラ７０は、ＲＯＭ７２内の補正テーブル９０を構成する単発ドット／連続ドット補正テーブル９３から測定した温度Ｔxに対応する連続ドット記録補正データＣMTx（あるいはＣMTxfy）を読み出す（ステップＳ８２）。
【００８９】
次にコントローラ７０は、すべての補正データの読み出しが完了すると、読み出したプラテン曲率補正データＣP、Ｆ段補正データＣFあるいはＲ段補正データＣRおよび単発ドット記録データＣS、さらに加えて必要に応じて連続ドット記録補正データＣMTx（あるいはＣMTxfy）に基づいて実補正値を算出する（ステップＳ９）。
【００９０】
具体的には、すべての補正データは、基準値に対して正または負の値を有しているので、すべての補正データを加算して実補正値とする。
そして、コントローラ７０は、得られた実補正値に基づく記録ワイヤの突出タイミング、ひいてはフライトタイムの制御を行いつつ印字処理を行うこととなる（ステップＳ１０）。
【００９１】
［１．３］実施形態の効果
本実施形態によれば、記録ドットの単発／連続の違いの影響および周囲温度の受けることなく、記録が行えるため、記録ドットのアライメントずれの発生を抑制することが可能となる。
この結果、印字品質を維持しつつ、高速印字にも対応することが可能となる。
【００９２】
［１．４］実施形態の変形例
以上の説明おいては、２段構成の記録ヘッドのＦ段記録ヘッドユニットとＲ段記録ヘッドユニットの違いがある場合に、双方の記録ヘッドユニットについて補正していたが、印字データに基づいて２段構成の記録ヘッドのＦ段記録ヘッドユニットおよびＲ段記録ヘッドユニットのうち、いずれか一方のみの補正を行うようにすることも可能である。
【００９３】
以上の説明においては、補正テーブルに予め補正データを記憶しておく構成を採っていたが、補正テーブルを予め設けず、コントローラ７０が予め記憶した演算式に基づいて補正データを算出するように構成することも可能である。この場合に、一部の補正テーブルについては予め記憶しておくように構成することも可能である。
【００９４】
以上の説明においては、補正テーブルにあらかじめ記憶した補正データに基づいて補正を行っていたが、補正テーブルをプリンタの経時変化に伴って更新するように構成することも可能である。
【００９５】
以上の説明においては、フライトタイムの補正を行うための制御プログラムがあらかじめＲＯＭに格納されている場合であったが、ハードディスク、リムーバブル記録媒体、ＩＣカードにあらかじめ制御プログラムを格納しておいて読み込んだり、インターネットなどのネットワークを介してダウンロードして制御プログラムを実行するように構成することも可能である。
【図面の簡単な説明】
【００９６】
【図１】本発明の実施形態に係るプリンタの記録ヘッドとその周辺構成を示す斜視図である。
【図２】記録ヘッドの断面図である。
【図３】プリンタの制御ユニットの構成を示すブロック図である。
【図４】補正テーブルの一例を示す図である。
【図５】プラテンの曲率に起因するずれ量の説明図である。
【図６】プラテンの曲率に起因するずれ量の具体的説明図である。
【図７】周囲温度に起因する単発ドット記録時と連続ドット記録時とのフライトタイム差を実測したグラフである。
【図８】単発ドット記録時および連続ドット記録時の記録ワイヤの先端位置および記録ワイヤ駆動電流の関係説明図である。
【図９】実施形態の動作説明図（その１）である。
【図１０】実施形態の動作説明図（その２）である。
【図１１】駆動周波数毎に連続ドット記録補正データを格納した単発ドット／連続ドット補正テーブルの一例の説明図である。
【図１２】実施形態の概要処理フローチャートである。
【図１３】単発／連続補正データ読み出し処理の処理フローチャートである。
【符号の説明】
【００９７】
１０…ドットインパクトプリンタ、２０…記録ヘッド、２１…キャリッジ、５０…記録ワイヤ、６０…制御ユニット、７０…コントローラ、７１…ＣＰＵ、７２…ＲＯＭ、７３…ＲＡＭ、７５…インターフェース、８０…モータ駆動部、８５…記録ヘッド駆動部、９０…補正テーブル、９１…プラテン曲率補正テーブル、９２…Ｆ段／Ｒ段補正テーブル、９３…単発ドット／連続ドット補正テーブル、ＣS…単発ドット記録データ、ＣMT1〜ＣMTn、ＣMT1fy〜ＣMTnfy、ＣMTx、ＣMTxfy…連続ドット記録補正データ。
【図１】
2005081694.tif 000003
【図２】
2005081694.tif 000004
【図３】
2005081694.tif 000005
【図４】
2005081694.tif 000006
【図５】
2005081694.tif 000007
【図６】
2005081694.tif 000008
【図７】
2005081694.tif 000009
【図８】
2005081694.tif 000010
【図９】
2005081694.tif 000011
【図１０】
2005081694.tif 000012
【図１１】
2005081694.tif 000013
【図１２】
2005081694.tif 000014
【図１３】
2005081694.tif 000015